(57)【要約】      （修正有）【課題】専用の特殊な道具を用いずに摺動操作を行うことが可能で、且つ、摺動操作を安定して制限することが可能なスライダーを提供する。【解決手段】スライダー１０では、引手５０又はカバー体４０が、引手５０をスライダー胴体２０の後口側に傾倒させて操作するときに、引手５０の向きの変更又は取付軸部５１の位置の変更により、引手５０が停止爪体に接触するロック解除状態と、引手５０が停止爪体に対して非接触となるロック維持状態とが切り換えられる形態を有する。【選択図】図１
0003206923.tif 000002
【実用新案登録請求の範囲】
【請求項１】
上翼板(21)と下翼板(22)とが案内柱(23)により連結され、前記上翼板(21)及び下翼板(22)間にエレメント案内路(28)が配されるスライダー胴体(20)と、前記スライダー胴体(20)に揺動可能に支持される停止爪体(30)と、前記停止爪体(30)を内部に収容するとともに前記スライダー胴体(20)に固定されるカバー体(40,60,80)と、前記上翼板(21)と前記カバー体(40,60,80)の間に取付軸部(51,53,56,71,91)が保持される引手(50,50a,50b,70,90)とを有し、前記停止爪体(30)は、前記上翼板(21)に穿設される爪孔部(29)を介して前記エレメント案内路(28)内に挿抜可能な停止爪部(32)と、前記停止爪部(32)を前記エレメント案内路(28)内に挿入する付勢力を発生させる弾性付勢部(33)とを有する停止機構付きスライドファスナー用スライダー(10,10a,10b)であって、
前記引手(50,50a,50b,70,90)又は前記カバー体(40,60,80)は、前記引手(50,50a,50b,70,90)を前記スライダー胴体(20)の後口側に傾倒させて操作するときに、前記引手(50,50a,50b,70) の回動による向きの変更又は前記取付軸部(91)の移動による位置の変更により、前記引手(50,50a,50b,70,90)が前記停止爪体(30)に接触するロック解除状態と、前記引手(50,50a,50b,70,90)が前記停止爪体(30)に対して非接触となるロック維持状態とが切り換えられる形態を有してなる、
ことを特徴とするスライダー。
【請求項２】
前記引手(50,50a,70) の前記取付軸部(51,53,71)が環状に形成され、
前記取付軸部(51,53,71)の一部に、前記停止爪体(30)に接触して前記停止爪部(32)を引き上げる解除突部(52,54,72)が配され、
前記解除突部(52,54,72)は、前記引手(50,50a,70) を前記後口側に傾倒させたときに、前記取付軸部(51,53,71)に対して上方を向くように突設されてなる、
請求項１記載のスライダー。
【請求項３】
複数の前記解除突部(52,54) が、互いに等間隔で離間して配されてなる請求項２記載のスライダー。
【請求項４】
前記引手(50b) は、摘まみ部となる引手本体部(55)を有し、
前記取付軸部(56)は、前記引手本体部(55)から円弧状に延出し、
前記取付軸部(56)の一部に、前記停止爪体(30)に接触して前記停止爪部(32)を引き上げる解除突部(57)が配され、
前記解除突部(57)は、前記引手(50b) を前記スライダー胴体(20)の幅方向に傾倒させたときに、前記取付軸部(56)に対して上方を向くように突設されてなる、
請求項１記載のスライダー。
【請求項５】
前記カバー体(40)は、前記引手(50,50a,50b)の前記取付軸部(51,53,56)の移動範囲を規制する左右の規制壁部(47b) を有し、
前記上翼板(21)と前記カバー体(40)との間に、前記スライダー(10)の側面視にて前記停止爪体(30)の一部を露呈させ、且つ、前記規制壁部(47b) により前記取付軸部(51,53,56)の進入を規制して前記解除突部(52,54,57)のみの進入を許容する解除空間部(11a) が形成されてなる、
請求項２〜４のいずれかに記載のスライダー。
【請求項６】
前記カバー体(40,60,80)の前記規制壁部(47b) は、前記カバー体(40,60,80)が前記スライダー胴体(20)に固定された状態で、前記カバー体(40,60,80)の後側寄りの位置に設けられ、
前記解除空間部(11a) は、前記カバー体(40,60,80)の前記規制壁部(47b) よりも前側に配されてなる、
請求項５記載のスライダー。
【請求項７】
前記カバー体(60)は、前記停止爪体(30)の左右側方を覆い隠すとともに前記引手(70)の前記取付軸部(71)の移動範囲を規制する左右の規制壁部(67)を有し、
前記引手(70)の前記解除突部(72)は、左右の前記規制壁部(67)間に進入可能に形成されてなる、
請求項２〜４のいずれかに記載のスライダー。
【請求項８】
前記カバー体(80)は、前記引手(90)の前記取付軸部(91)の移動範囲を規制する左右の規制壁部(87b) を有し、
前記上翼板(21)と前記カバー体(80)との間には、左右の前記規制壁部(87b) により、前記取付軸部(91) が進入可能で前記ロック解除状態となる解除空間部(11b) と、前記取付軸部(91)が進入可能で前記ロック維持状態となる非解除空間部(11c) と、前記解除空間部(11b) 及び前記非解除空間部(11c) を連通する連通空間部(11d) とが形成されてなる、
請求項１記載のスライダー。
【請求項９】
前記カバー体(80)の前記規制壁部(87b) は、前記カバー体(80)が前記スライダー胴体(20)に固定された状態で、前記カバー体(80)の後側寄りの位置に設けられ、
前記解除空間部(11b) は、前記カバー体(80)の前記規制壁部(87b) よりも前側に配されてなる、
請求項８記載のスライダー。
【考案の詳細な説明】
【技術分野】
【０００１】
本考案は、スライドファスナー用スライダーに関し、特に、停止爪体による停止機構を備えたスライドファスナー用スライダーに関する。
【背景技術】
【０００２】
従来から、スライドファスナーは、衣類やカバン類などの物品における開口部又は開閉部に取り付けられている。スライドファスナーは、一般的に、ファスナーテープのテープ側縁部にエレメント列が形成された左右一対のファスナーストリンガーと、左右のエレメント列に摺動可能に取り付けられるスライダーとを有する。このようなスライドファスナーでは、スライダーをエレメント列に沿って摺動させることにより、左右のエレメント列を噛合・分離させて、物品の開口部又は開閉部を容易に開閉することができる。
【０００３】
スライドファスナーに用いられるスライダーは、一般に、上翼板と下翼板が案内柱で連結されたスライダー胴体と、スライダー胴体に対して回動可能に保持される引手とを有する。また、スライダー胴体には、案内柱の左右両側に配される肩口と、スライダー胴体の後端部に配される後口とが設けられており、上翼板と下翼板との間には、エレメント列が挿通される略Ｙ字状のエレメント案内路が、左右の肩口と後口とを連通するように形成されている。
【０００４】
また、スライダーの１つとして、エレメント列上の任意の位置でスライダーの摺動操作を停止させたときに、そのスライダーを停止位置で保持することが可能な停止機構を備えたスライダーが知られており、このような停止機構付きのスライダーは、例えば特開２００４−３４４３１３号公報（特許文献１）等に開示されている。
【０００５】
ところで、スライドファスナーは、上述のように衣服にも多く用いられているが、例えば認知症を発症した人などを介護する場合、要介護者が自身で衣服をいたずらに脱ぐこと等を防ぐために、要介護者が勝手にスライダーを摺動させないようにスライダーの摺動操作を制限できるスライドファスナーが衣服に取り付けられることもある。
【０００６】
また、このように摺動操作を制限可能なスライダーは、例えば実公昭６２−３２４１５号公報（特許文献２）、実用新案登録第２５２８１６８号公報（特許文献３）、及び特開平１１−２７６２１６号公報（特許文献４）等に開示されている。
【０００７】
例えば特許文献２には、施錠装置付きスライダーが記載されている。この特許文献２のスライダーのスライダー胴体には、エレメント案内路に挿抜可能な係止板（停止爪体）が揺動可能に支持されるとともに、鍵孔を設けた回転中子とコイルスプリングが嵌着されている。この場合、係止板は、回転中子の回動に従って揺動するように配されており、コイルスプリングは、係止板をエレメント案内路に挿入するように付勢するとともに、回転中子を上方へ付勢している。
【０００８】
このようなスライダー胴体を備えたスライダーは、回転中子の鍵孔に挿入可能な片歯鍵を用いて、係止板がエレメント案内路に突出して停止機構が働く施錠状態と、係止板がエレメント案内路から抜出されてスライダーを摺動可能な摺動状態とを切り換えることができる。このような施錠装置付きスライダーでは、片歯鍵を用いてスライダー胴体を施錠することによって、スライダーを自由に摺動させることができなくなるため、スライダーの摺動操作を容易に制限することができる。
【０００９】
また特許文献３には、停止機構を備えたスライダー胴体と、そのスライダー胴体の操作に用いるはさみ状の引手器具とを有するスライダーが記載されている。
この特許文献３のスライダー胴体には、係止爪が揺動可能に枢着されているとともに、係止爪を付勢する板ばねが固定されている。また、係止爪には、揺動によりエレメント案内路に挿抜可能な爪部が形成されており、板ばねは、爪部がエレメント案内路に突出するように係止爪を付勢する。一方、引手器具の先端部には、スライダー胴体の係止爪を持ち上げることが可能なピンが設けられている。
【００１０】
このような特許文献３のスライダーは、係止爪が板ばねに付勢されて係止爪の爪部がエレメント案内路に突出することにより、スライダー胴体の停止機構が自動的に働くように形成されている。また、このスライダー胴体には引手が取り付けられていないため、引手器具を用いて、スライダー胴体の係止爪を持ち上げて爪部をエレメント案内路から抜出させ、更に、引手器具でスライダー胴体を引っ張ることにより、スライダー胴体をエレメント列に沿って摺動させることができる。すなわち、特許文献３のスライダーでは、引手器具を用いなければスライダーを自由に摺動させることができないため、スライダーの摺動操作が制限される。
【００１１】
特許文献４には、スライダー胴体に、爪部（止着手段）を有する引手がヒンジ部を介して連結されているとともに、スライダー胴体に引手を爪部がエレメント案内路に突出させた状態で係止する係止孔が設けられたスライダーが記載されている。
【００１２】
この特許文献４のスライダーは、スライダー胴体に引手を係止することにより、引手に設けた爪部がスライダー胴体のエレメント案内路に突出して停止機構が働くため、スライダーの停止状態が維持される。また、引手をスライダー胴体の係止から外すことによって、爪部がスライダー胴体のエレメント案内路から抜出するため、スライダーを自由に摺動させることができる。このため、例えば要介護者が、スライダー胴体に係止されている引手を自分で外すことができなければ、スライダーの停止機構を解除できず、スライダーの摺動操作が制限される。
【先行技術文献】
【特許文献】
【００１３】
【特許文献１】特開２００４−３４４３１３号公報
【特許文献２】実公昭６２−３２４１５号公報
【特許文献３】実用新案登録第２５２８１６８号公報
【特許文献４】特開平１１−２７６２１６号公報
【考案の概要】
【考案が解決しようとする課題】
【００１４】
要介護者の衣服に取り付けられるスライドファスナーには、上述のように、特許文献２〜特許文献４に記載されているようなスライダーの摺動操作を制限可能なスライダーを用いることが考えられる。
【００１５】
しかし、例えば特許文献２や特許文献３に記載のスライダーでは、上述したように、片歯鍵や引手器具といったスライダー胴体とは別体に形成される専用の道具を使用しなければ、介助者等がスライダーを自由に摺動させることができない。従って、介助者等が要介護者の衣服を着替えさせたり、着替えを補助したりするときに、その専用の特殊な道具を用いる必要があるため、煩わしく感じることや、使い勝手が悪いと感じることがあった。また、スライダーの摺動に専用の特殊な道具を用いる場合、要介護者が不安を感じることがあったり、その道具を紛失すると衣服全体が使用できなくなるという不便な面もあった。
【００１６】
特許文献４に記載のスライダーは、特許文献２や特許文献３のような道具を用いなくても、スライダーの摺動操作を制限することが可能となるため、介助者等の使い易さは向上する。しかしその一方で、例えば要介護者が特許文献４の引手をスライダー胴体から外すことができる人であれば、自身でスライダーを摺動させて衣服を容易に脱ぐことが可能となるため、実際にはスライダーの摺動操作をより安定して制限できることが必要とされる。
【００１７】
更に、特許文献４のスライダーは、従来の一般的なスライダーとは全く異なる独特な形状を有する。このため、特許文献４のスライダーを製造するには、専用の金型から作製する必要があり、製造コストの大幅な増大を招くという問題もあった。
【００１８】
本考案は上記従来の課題に鑑みてなされたものであって、その具体的な目的は、専用の特殊な道具を用いずに摺動操作を行うことが可能で、且つ、要介護者が容易には摺動させることができない程度に摺動操作を安定して制限することが可能であり、更には、製造コストの増大を抑制することが可能なスライドファスナー用スライダーを提供することにある。
【課題を解決するための手段】
【００１９】
上記目的を達成するために、本考案により提供されるスライドファスナー用スライダーは、基本的な構成として、上翼板と下翼板とが案内柱により連結され、前記上翼板及び下翼板間にエレメント案内路が配されるスライダー胴体と、前記スライダー胴体に揺動可能に支持される停止爪体と、前記停止爪体を内部に収容するとともに前記スライダー胴体に固定されるカバー体と、前記上翼板と前記カバー体の間に取付軸部が保持される引手とを有し、前記停止爪体は、前記上翼板に穿設される爪孔部を介して前記エレメント案内路内に挿抜可能な停止爪部と、前記停止爪部を前記エレメント案内路内に挿入する付勢力を発生させる弾性付勢部とを有する停止機構付きスライドファスナー用スライダーであって、前記引手又は前記カバー体は、前記引手を前記スライダー胴体の後口側に傾倒させて操作するときに、前記引手の回動による向きの変更又は前記取付軸部の移動による位置の変更により、前記引手が前記停止爪体に接触するロック解除状態と、前記引手が前記停止爪体に対して非接触となるロック維持状態とが切り換えられる形態を有してなることを最も主要な特徴とするものである。
【００２０】
本考案のスライダーにおいて、前記引手の前記取付軸部が環状に形成され、前記取付軸部の一部に、前記停止爪体に接触して前記停止爪部を引き上げる解除突部が配され、前記解除突部は、前記引手を前記後口側に傾倒させたときに、前記取付軸部に対して上方を向くように突設されていることが好ましい。
この場合、複数の前記解除突部が、互いに等間隔で離間して配されていることが更に好ましい。
【００２１】
また本考案のスライダーにおいて、前記引手は、摘まみ部となる引手本体部を有し、前記取付軸部は、前記引手本体部から円弧状に延出し、前記取付軸部の一部に、前記停止爪体に接触して前記停止爪部を引き上げる解除突部が配され、前記解除突部は、前記引手を前記スライダー胴体の幅方向に傾倒させたときに、前記取付軸部に対して上方を向くように突設されていても良い。
【００２２】
前記カバー体は、前記引手の前記取付軸部の移動範囲を規制する左右の規制壁部を有し、前記上翼板と前記カバー体との間に、前記スライダーの側面視にて前記停止爪体の一部を露呈させ、且つ、前記規制壁部により前記取付軸部の進入を規制して前記解除突部のみの進入を許容する解除空間部が形成されていることが好ましい。
【００２３】
この場合、前記カバー体の前記規制壁部は、前記カバー体が前記スライダー胴体に固定された状態で、前記カバー体の後側寄りの位置に設けられ、前記解除空間部は、前記カバー体の前記規制壁部よりも前側に配されていることが更に好ましい。
【００２４】
また本考案において、前記カバー体は、前記停止爪体の左右側方を覆い隠すとともに前記引手の前記取付軸部の移動範囲を規制する左右の規制壁部を有し、前記引手の前記解除突部は、左右の前記規制壁部間に進入可能に形成されていても良い。
【００２５】
更に本考案において、前記カバー体は、前記引手の前記取付軸部の移動範囲を規制する左右の規制壁部を有し、前記上翼板と前記カバー体との間には、左右の前記規制壁部により、前記取付軸部が進入可能で前記ロック解除状態となる解除空間部と、前記取付軸部が進入可能で前記ロック維持状態となる非解除空間部と、前記解除空間部及び前記非解除空間部を連通する連通空間部とが形成されていても良い。
【００２６】
この場合、前記カバー体の前記規制壁部は、前記カバー体が前記スライダー胴体に固定された状態で、前記カバー体の後側寄りの位置に設けられ、前記解除空間部は、前記カバー体の前記規制壁部よりも前側に配されていることが更に好ましい。
【考案の効果】
【００２７】
本考案に係るスライドファスナー用スライダーは、スライダー胴体と、停止爪部及び弾性付勢部を備える停止爪体と、カバー体と、引手とを有し、停止爪体による自動停止機構を備える。また本考案において、引手とカバー体の何れか一方は、引手をスライダー胴体の後口側に傾倒させてスライダーを摺動させる操作を行うときに、引手の回動による引手の向きの変更又はカバー体に対する引手の取付軸部の移動による取付軸部の位置の変更により、引手が停止爪体に接触するロック解除状態と、引手が停止爪体に対して非接触となるロック維持状態とが切り換えられる形態を有する。
【００２８】
上述のような構造を有する本考案のスライダーによれば、ユーザーが引手を回転させて引手の向きを変えること、又は引手を移動させて引手の取付軸部の相対的な位置を変えることにより、片歯鍵などの専用の特殊な道具を利用することなく、スライダーの停止機構が働くロック維持状態と、停止機構を解除したロック解除状態（摺動可能状態）とを任意に選択して容易に切り換えることができる。
【００２９】
従って、本考案では、例えば要介護者の衣服を着替えさせたり、着替えを補助したりするときに介助者等が前述の特許文献２や特許文献３のスライダーに対して感じていたような煩わしさや使い辛さを解消して、スライドファスナーの使い易さ（利便性）を向上させることができる。更に、スライドファスナーを開閉するための専用の道具が不要になるため、要介護者の不安を少しでも取り除くことができ、また、道具を管理する負担もなくなる。
【００３０】
また一方で、スライダーはサイズが小さく、引手の向きの変更又は引手の取付軸部の位置の変更は細かい作業になるため、そのような作業は、例えば要介護者等にとっては比較的難しいものになる。従って、本考案のスライダーで停止機構が働くロック維持状態に切り換えた場合、要介護者等は停止機構を容易に解除することができなくなるため、スライダーの摺動操作を、例えば前述の特許文献４のスライダーに比べてより安定して制限することができる。
【００３１】
このような本考案のスライダーにおいて、引手の取付軸部が環状に形成されており、取付軸部の一部に、停止爪体に接触して停止爪部を引き上げる解除突部が、引手を後口側に傾倒させたときに取付軸部に対して上方を向くように突設されている。
【００３２】
上述のように引手が形成されていれば、スライダー胴体に対して引手を回転させて引手の向きを変えることによってロック解除状態（摺動可能状態）とロック維持状態とを容易に切り換えることができる。また一方で、引手の向きがロック維持状態にある場合に、引手を後口側に引っ張る操作だけではスライダーを摺動させることができないため、要介護者等がいたずらにスライダーを摺動操作することを効果的に防止できる。
【００３３】
更に、上述のように切り換え可能な形態を引手の簡単な構造で実現することができる。その結果、本考案のスライダー胴体や停止爪体として、例えば前述の特許文献１に記載されているような従来のスライダーに用いられているスライダー胴体や停止爪体を流用することや、従来のスライダー胴体や停止爪体を少し改良して用いることが可能となる。それにより、本考案のスライダー胴体や停止爪体を製造するために、装置の大幅な変更や新たな設備の追加等が不要となるため、製造コストの増大を抑制することができる。
【００３４】
更にこの場合、環状の取付軸部に、複数の解除突部が互いに等間隔で離間して配されていることにより、ロック解除状態とロック維持状態の切り替え操作をより簡便に、また迅速に行うことができる。
【００３５】
また本考案において、引手は、摘まみ部となる引手本体部を有し、取付軸部は、引手本体部から円弧状に延出し、取付軸部の一部に、停止爪体に接触して停止爪部を引き上げる解除突部が配され、解除突部は、引手をスライダー胴体の幅方向に傾倒させたときに、取付軸部に対して上方を向くように突設されていても良い。このように引手が形成されていても、ロック解除状態とロック維持状態とを容易に切り換えることができる。また、引手が上述のような引手本体部と解除突部とを備えることにより、スライダーの摺動操作を行うときに引手をスライダー胴体に対して縦方向に向け易くなることから、スライダーの停止機構が無意識に解除され難くなる。このため、要介護者等がいたずらにスライダーを摺動操作することをより効果的に防止できる。
【００３６】
また、カバー体は、引手の取付軸部の移動範囲を規制する左右の規制壁部を有する。更に、上翼板とカバー体との間には、スライダーの側面視にて停止爪体の一部を露呈させ、且つ、規制壁部により取付軸部の進入を規制して解除突部のみの進入を許容する解除空間部が形成されている。これにより、引手の向きを変更することによって、ロック解除状態とロック維持状態の切り替えを確実に安定して行うことができる。また、引手の向きがロック維持状態にある場合に、引手が停止爪体に接触することを確実に防止できる。
【００３７】
特にこの場合、カバー体の規制壁部は、カバー体がスライダー胴体に固定された状態で、カバー体の後側寄りの位置に設けられており、解除突部のみの進入を許容する解除空間部は、カバー体の規制壁部よりも前側に配されている。
【００３８】
これにより、引手をスライダー胴体の後口側に傾倒させてスライダーを開く方向に操作する際に、引手の取付軸部の移動を効果的に規制できる。また、引手の向きがロック維持状態にある場合は、上述のように引手が停止爪体に接触することを安定して防止でき、引手の向きがロック解除状態にある場合は、引手の解除突部を停止爪体に接触させ易くして、停止爪体の停止爪部をエレメント案内路から容易に引き上げることができる。
【００３９】
また本考案において、カバー体は、停止爪体の左右側方を覆い隠すとともに引手の取付軸部の移動範囲を規制する左右の規制壁部を有しており、引手の解除突部は、左右の規制壁部間に進入可能に形成されていても良い。これにより、上翼板とカバー体との間に、スライダーの側面視にて停止爪体の一部が露呈する上述のような解除空間部が形成されていなくても、引手の向きを変更することによって、ロック解除状態とロック維持状態の切り替えを安定して行うことができる。また、引手の向きがロック維持状態にある場合に、引手が停止爪体に接触することを安定して防止でき、引手の向きがロック解除状態にある場合は、停止爪体の停止爪部をエレメント案内路から容易に引き上げることができる。
【００４０】
更に本考案において、カバー体は、引手の取付軸部の移動範囲を規制する左右の規制壁部を有しており、上翼板とカバー体との間に設けられる開口窓部内には、左右の規制壁部により、引手の取付軸部が進入可能でロック解除状態となる解除空間部と、引手の取付軸部が進入可能でロック維持状態となる非解除空間部と、解除空間部及び非解除空間部を連通する連通空間部とが形成されていても良い。
【００４１】
これにより、引手の取付軸部を、スライダーの開口窓部内で解除空間部と非解除空間部とに案内することが可能となるとともに、カバー体に対して引手の取付軸部の位置を変更することによって、解除空間部のロック解除状態（摺動可能状態）と非解除空間部のロック維持状態とを容易に切り換えることができる。また、このように切り換え可能な形態を、カバー体の簡単な構造で実現することができる。このため、従来のスライダー胴体や停止爪体を流用することが可能となり、その結果、製造コストの増大を抑制することができる。
【００４２】
またこの場合、カバー体の規制壁部は、カバー体がスライダー胴体に固定された状態で、カバー体の後側寄りの位置に設けられており、解除空間部は、カバー体の規制壁部よりも前側に配されている。
【００４３】
これにより、引手をスライダー胴体の後口側に傾倒させてスライダーを開く方向に操作する際に、引手の取付軸部の移動を効果的に規制できる。また、引手の取付軸部の位置が非解除空間部にある場合は、引手が停止爪体に接触することを防いで、停止爪体の停止爪部がエレメント案内路内に突出している状態を安定して維持でき、引手の取付軸部の位置が解除空間部にある場合は、引手を停止爪体に接触させて停止爪体の停止爪部をエレメント案内路から容易に引き上げることができる。
【図面の簡単な説明】
【００４４】
【図１】本考案の実施例１に係るスライダーを有するスライドファスナーを示す平面図である。
【図２】スライダーの斜視図である。
【図３】スライダーの側面図である。
【図４】スライダーのスライダー胴体、停止爪体、及びカバー体を分解したときの斜視図である。
【図５】スライダーの引手の斜視図である。
【図６】引手の向きがロック維持状態にあるときのスライダーの断面図である。
【図７】引手の向きがロック解除状態にあるときのスライダーの断面図である。
【図８】引手の変形例を示す斜視図である。
【図９】引手の別の変形例を示す斜視図である。
【図１０】本考案の実施例２に係るスライダーの側面図である。
【図１１】スライダーの引手の斜視図である。
【図１２】引手の向きがロック維持状態にあるときのスライダーの断面図である。
【図１３】引手の向きがロック解除状態にあるときのスライダーの断面図である。
【図１４】図１３に示したＸＩＶ−ＸＩＶ線における断面図である。
【図１５】本考案の実施例３に係るスライダーの側面図である。
【図１６】引手の取付軸部がロック解除状態に保持されているときのスライダーの断面図である。
【考案を実施するための形態】
【００４５】
以下、本考案の好適な実施の形態について、実施例を挙げて図面を参照しながら詳細に説明する。なお、本考案は、以下で説明する実施の形態に何ら限定されるものではなく、本考案と実質的に同一な構成を有し、かつ、同様な作用効果を奏しさえすれば、多様な変更が可能である。
【００４６】
例えば、以下の実施形態では、本考案のスライダーが、エレメント列がコイル状に連続する複数の合成樹脂製ファスナーエレメントにより形成されるスライドファスナー用のスライダーとして形成されている場合について説明するが、本考案は、例えばファスナーテープに複数の独立する合成樹脂製ファスナーエレメントが射出成形されたエレメント列などのようにエレメント列の形態が異なる場合にも同様に適用することができる。
【実施例１】
【００４７】
図１は、本実施例１に係るスライダーを有するスライドファスナーを示す平面図である。図２及び図３は、スライダーの斜視図及び側面図である。図４は、スライダーのスライダー胴体を分解したときの斜視図であり、図５は、スライダーの引手の斜視図である。
【００４８】
なお、以下の説明において、前後方向とはスライダーの摺動方向であり、特に、スライダーがスライドファスナーのエレメント列を噛合させるために移動する方向を前方（肩口側方向）とし、エレメント列を分離させるために移動する方向（後口側方向）を後方とする。
【００４９】
また、上下方向とは、スライダーの高さ方向、又はスライダーが取着されるファスナーストリンガーにおけるテープ表裏方向であり、特に、スライダーのスライダー胴体に対して引手が取り付けられる側を上方とし、その反対側の方向を下方とする。左右方向とは、スライダーの幅方向を言い、スライダーの摺動方向と高さ方向とに直交する方向である。
【００５０】
本実施例１のスライダー１０は、図１に示したようなスライドファスナー１に用いられる。このスライドファスナー１は、左右一対のファスナーストリンガー２を有しており、各ファスナーストリンガー２は、織成された細帯状のファスナーテープ３と、ファスナーテープ３の対向するテープ側縁部に形成されるエレメント列４とを有する。
【００５１】
また、各エレメント列４は、モノフィラメントをコイル状に成形した複数の連続状ファスナーエレメント５がファスナーテープ３に縫着されることにより形成されている。なお、図１において、ファスナーエレメント５をファスナーテープ３に縫着する縫製線の図示は省略されている。
【００５２】
本実施例１のスライダー１０は、スライダー胴体２０、スライダー胴体２０に揺動可能に支持される停止爪体３０、停止爪体３０を上方から覆うとともにスライダー胴体２０に固定されるカバー体４０、及び、スライダー胴体２０とカバー体４０の間に保持される引手５０の４つの部品から形成されている。
【００５３】
本実施例１において、スライダー胴体２０、カバー体４０、及び引手５０は、ポリアミド、ポリアセタール、ポリプロピレン、ポリブチレンテレフタレートなどの熱可塑性樹脂を用いて、射出成形を行うことにより形成される。また、停止爪体３０は、銅合金やステンレス鋼などの弾性を備える金属製板材にプレス加工を行うことにより形成される。なお、本考案においてスライダー１０を形成する各部品の材質や作製方法は限定されるものではなく、任意に選択することができる。
【００５４】
本実施例１のスライダー胴体２０は、上翼板２１と、上翼板２１と略平行に配される下翼板２２と、上翼板２１及び下翼板２２の前端部（肩口側端部）間を連結する案内柱２３と、上翼板２１の上面に立設され、カバー体４０が取着される前側取付柱２４及び後側取付柱２５と、上翼板２１の左右側縁部に沿って垂設され、スライダー胴体２０内でエレメント列４の位置を規制する左右のフランジ部２６と、下翼板２２の左右側縁部に沿って立設される左右の突条部２７とを有する。
【００５５】
スライダー胴体２０の前端部には、案内柱２３を間に挟んで左右の肩口が形成されているとともに、スライダー胴体２０の後端部には後口が形成されている。また、左右の肩口と後口とを連通するように略Ｙ字形状のエレメント案内路２８が、上翼板２１、下翼板２２、左右のフランジ部２６、及び左右の突条部２７に囲まれて形成されている。更に、スライダー胴体２０の左右側縁部には、スライドファスナー１のファスナーテープ３を挿通させるテープ挿通間隙が、左右のフランジ部２６と左右の突条部２７との間に形成されている。
【００５６】
上翼板２１の幅方向中央部分には、前側取付柱２４及び後側取付柱２５が前後方向に互いに離間して配されている。前側取付柱２４と後側取付柱２５との間には、スライダー１０の側面視において、スライダー胴体２０の上翼板２１、前側取付柱２４、後側取付柱２５、及びカバー体４０により囲まれて形成される開口窓部１１が、引手５０を取り付けるための空間部として形成されており、この開口窓部１１に、引手５０の取付軸部５１が挿通される。更に、前側取付柱２４の前方と後側取付柱２５の後方とには、カバー体４０の後述する前爪部４３の一部及び後爪部４５の一部がそれぞれ嵌入される嵌入凹部２１ａが、上翼板２１の上面に凹設されている。
【００５７】
前側取付柱２４は、上翼板２１の上面に立設されて停止爪体３０を載置する柱本体部２４ａと、柱本体部２４ａの左右両側に配される左右一対の前側側壁部２４ｂと、柱本体部２４ａの上端部に突設され、停止爪体３０の後述する第２開口部３５に挿入される突起部２４ｃとを有する。
【００５８】
また、柱本体部２４ａの上端部には、停止爪体３０の前端部が挿入される挿入孔部２４ｄが、突起部２４ｃの前側に隣接して形成されている。柱本体部２４ａの前面側下端部には、カバー体４０の前爪部４３が嵌着する前側被嵌着部（前側嵌着凹部）２４ｅが、上翼板２１の前側の嵌入凹部２１ａに連続するようにして凹設されている。更に、柱本体部２４ａにおける前側被嵌着部２４ｅの上方に配される前端面は、カバー体４０の前爪部４３を前側被嵌着部２４ｅに向けて当接させながら案内するために、前方へ下り傾斜する案内傾斜面２４ｆとして形成されている。
【００５９】
左右の前側側壁部２４ｂは、互いに左右対称的な形状を有する。また、各前側側壁部２４ｂは、柱本体部２４ａよりも上方及び前方に張り出して形成されており、スライダー胴体２０の側面視にて略扇形を呈する。各前側側壁部２４ｂは、上面から前面にかけて滑らかに湾曲する湾曲面を有しており、それぞれの湾曲面にはカバー体４０が載置される。また、左右の前側側壁部２４ｂにおける後方上端部の内壁面には、カバー体４０の一部が挿入されてカバー体４０を位置決めする切欠き部２４ｇが設けられている。
【００６０】
後側取付柱２５は、上翼板２１の上面に立設されてカバー体４０の後爪部４５を嵌着させる嵌着柱部２５ａと、嵌着柱部２５ａの前方に離間して配される引手案内隆起部２５ｃと、嵌着柱部２５ａ及び引手案内隆起部２５ｃの左右両側に配される左右一対の後側側壁部２５ｂとを有する。後側取付柱２５における嵌着柱部２５ａと引手案内隆起部２５ｃとの間には、スライダー胴体２０の上面側からエレメント案内路２８に貫通する爪孔部２９が、上翼板２１に穿設されており、この爪孔部２９は、スライダー胴体２０の平面視（不図示）にて矩形状を呈する。
【００６１】
後側取付柱２５の嵌着柱部２５ａは、上翼板２１の上面から起立する起立部と、起立部の上端部に形成される柱頭部とを有する。この嵌着柱部２５ａの前面は、平坦に形成されているとともに、爪孔部２９の内壁面と連続的に形成されている。
【００６２】
嵌着柱部２５ａの後面側下端部には、カバー体４０の後爪部４５が嵌着する後側被嵌着部（後側嵌着凹部）２５ｅが、柱頭部の下に凹設されており、この後側被嵌着部２５ｅは、上翼板２１の後側の嵌入凹部２１ａに連続するようにして形成されている。また、嵌着柱部２５ａにおける柱頭部の後端面は、カバー体４０の後爪部４５を後側被嵌着部２５ｅに向けて当接させながら案内するために、後方へ下り傾斜する案内傾斜面２５ｆとして形成されている。
【００６３】
後側取付柱２５の引手案内隆起部２５ｃは、上翼板２１の上面からの高さ寸法を嵌着柱部２５ａよりも低くして設けられている。この引手案内隆起部２５ｃは、上端面と、上端面から前方に向けて下り傾斜し、引手５０の取付軸部５１の移動範囲を規制する前側傾斜面と、上端面から爪孔部２９の内壁面にかけて連続的に形成される後端面とを有する。この場合、引手案内隆起部２５ｃの前側傾斜面は、左右の後側側壁部２５ｂの前面と、段差を形成することなく連続的に形成されている。
【００６４】
左右の後側側壁部２５ｂは、互いに左右対称的に形成されている。各後側側壁部２５ｂは、後側取付柱２５の嵌着柱部２５ａと引手案内隆起部２５ｃとを連結するとともに、嵌着柱部２５ａから上方及び後方に張り出して形成されている。また、左右の後側側壁部２５ｂは、上面から後面にかけて滑らかに湾曲する湾曲面を有しており、それぞれの湾曲面にはカバー体４０が載置される。更に、左右の後側側壁部２５ｂにおける上端部の内壁面には、カバー体４０の一部が挿入されてカバー体４０を位置決めする切欠き部２５ｇが設けられている。
【００６５】
なお、本考案に係るスライダー胴体は、本実施例１のスライダー胴体２０における前側取付柱２４及び後側取付柱２５を排除した形態で形成されていても良く、この場合、カバー体は、スライダー胴体の上翼板や案内柱の前端部などに取着される。
【００６６】
本実施例１の停止爪体３０は、引手５０の取付軸部５１の上方を跨いで配される爪本体部３１と、爪本体部３１の後端部から延出し、上翼板２１の爪孔部２９を介してエレメント案内路２８に挿抜可能な停止爪部３２と、爪本体部３１から分岐して延びる弾性付勢部３３とを有する。
【００６７】
停止爪体３０の爪本体部３１は、一定の厚さ寸法を有するとともに、スライダー胴体２０の前側取付柱２４における左右の前側側壁部２４ｂ間に挿入可能で、且つ、後側取付柱２５における左右の後側側壁部２５ｂ間に挿入可能な一定の幅寸法を有する。また、爪本体部３１は、長さ方向の中央に配される直線部３１ａと、直線部３１ａから前方に延出するとともに下方へ折り曲げられた前端屈曲部３１ｂと、直線部３１ａから後方に延出するとともに下方へ折り曲げられた後端屈曲部３１ｃとを有しており、側面視にて略Ｃ字状を呈する。
【００６８】
更に、爪本体部３１の直線部３１ａにおける幅方向の中央部分には、細幅状の第１開口部３４が形成されている。また、直線部３１ａの前端部から前端屈曲部３１ｂにかけて、前側取付柱２４の突起部２４ｃが挿入される略矩形状の第２開口部３５が第１開口部３４から連続的に形成されている。この場合、第１開口部３４は、爪本体部３１から弾性付勢部３３が分岐する位置から第２開口部３５まで直線状に形成されている。
【００６９】
停止爪体３０の停止爪部３２は、爪本体部３１の後端屈曲部３１ｃから垂設されている。また、停止爪部３２の先端部（下端部）は、幅寸法が先端に向けて漸減する形状を有する。停止爪部３２の先端部は、停止爪部３２の基端部に対して肩口側に傾斜して形成されている。
【００７０】
この停止爪部３２は、スライダー胴体２０の爪孔部２９を介してエレメント案内路２８に挿入されることにより、そのエレメント案内路２８内に挿通されるエレメント列４に係合し、それによって、停止機構が働いてスライダー１０がエレメント列４に対してロックされる。このように停止爪部３２がエレメント列４に係合している状態をロック維持状態と言い、停止爪部３２がエレメント列４に係合していない状態をロック解除状態と言う。
【００７１】
特に本実施例１の場合、停止爪部３２の先端部が肩口側に傾斜していることにより、停止爪部３２の先端部がエレメント列４に係合したときに、スライドファスナー１を開く方向（後方）に対しては、スライダー１０をエレメント列４に沿って摺動させることができないように、より安定してロックして、その停止状態を保持することができる。
【００７２】
一方、停止爪部３２の先端部がエレメント列４に係合していても、スライドファスナー１を閉じる方向（前方）に対しては、停止爪部３２の先端部が肩口側に傾斜していることにより、スライダー１０をエレメント列４に沿って摺動させる際に停止爪部３２が各ファスナーエレメント５を容易に乗り越えることができる。それにより、スライダー１０がロック維持状態にあっても、スライダー１０の閉鎖方向への摺動を可能にしている。
【００７３】
停止爪体３０の弾性付勢部３３は、爪本体部３１の後端屈曲部３１ｃから上方に分岐して延設されている。この弾性付勢部３３は、停止爪体３０がスライダー胴体２０とカバー体４０の間に装着されたときに、カバー体４０の天井内壁面（後述するカバー上壁部４１ａの裏面）に当接して爪本体部３１に近付くように弾性変形する。これにより、弾性付勢部３３が、爪本体部３１を下方に付勢して、停止爪部３２を、爪孔部２９を介してエレメント案内路２８に突出させることができる。
【００７４】
本実施例１のカバー体４０は、前側取付柱２４及び後側取付柱２５に覆い被さる略Ｃ字状のカバー本体部４１と、カバー本体部４１の前端縁及び前端部裏面に配される前膨出部４２と、前膨出部４２の先端部から後方に向けて突出する前爪部４３と、カバー本体部４１の後端縁及び後端部裏面に配される後膨出部４４と、後膨出部４４の先端部から前方に向けて突出する後爪部４５と、カバー本体部４１のカバー上壁部４１ａから垂設される左右の側片部（側壁部）４６とを有する。
【００７５】
カバー本体部４１は、長さ方向の略中間部分に配されるカバー上壁部４１ａと、カバー上壁部４１ａから前方に延出するとともに下方に湾曲するカバー前壁部４１ｂと、カバー上壁部４１ａから後方に延出するとともに下方に湾曲するカバー後壁部４１ｃとを有する。
【００７６】
この場合、カバー前壁部４１ｂ及びカバー後壁部４１ｃは、スライダー胴体２０の側面視における前側取付柱２４における左右の前側側壁部２４ｂの形状、及び後側取付柱２５における左右の後側側壁部２５ｂの形状にそれぞれ対応して湾曲している。また、このカバー本体部４１は、カバー体４０をスライダー胴体２０の前側取付柱２４及び後側取付柱２５に取り付ける際にカバー体４０がスライダー胴体２０にスナップ係合するように、カバー前壁部４１ｂ及びカバー後壁部４１ｃが互いに離間する方向に弾性変形可能に形成されている。更に、カバー上壁部４１ａの裏面には、図６に示すように、停止爪体３０の弾性付勢部３３が入り込んで位置決めされる凹溝部４１ｄが形成されている。
【００７７】
カバー体４０の前膨出部４２は、前側取付柱２４における左右の前側側壁部２４ｂ間と前側の嵌入凹部２１ａとに嵌入可能な幅寸法を有する。また、カバー体４０の後膨出部４４も、後側取付柱２５における左右の後側側壁部２５ｂ間と後側の嵌入凹部２１ａとに嵌入可能な幅寸法を有する。カバー体４０の前爪部４３は、左右の前側側壁部２４ｂ間に挿入可能で、且つ、前側取付柱２４の前側被嵌着部２４ｅに嵌まり込む大きさで形成されている。後爪部４５も、左右の後側側壁部２５ｂ間に挿入可能で、且つ、後側取付柱２５の後側被嵌着部２５ｅに嵌まり込む大きさで形成されている。
【００７８】
カバー体４０における左右の側片部４６は、スライダー胴体２０の前側取付柱２４及び後側取付柱２５間に入り込んで引手５０の取付軸部５１の移動範囲を規制する規制壁部４７と、規制壁部４７よりも薄い厚さで規制壁部４７から前後方向に突出し、前側側壁部２４ｂ及び後側側壁部２５ｂの各切欠き部２４ｇ，２５ｇに挿入される挿入壁部４８とを有する。
【００７９】
本実施例１のスライダー１０では、スライダー１０の側面視において（図３を参照）、引手５０の後述する取付軸部５１を保持することが可能な開口窓部１１が、上述したように、上翼板２１の上面とカバー体４０との間に、スライダー胴体２０の前側取付柱２４と後側取付柱２５とに挟まれて形成されており、カバー体４０の規制壁部４７は、この開口窓部１１の面積を狭めるようにカバー上壁部４１ａから下方へ垂設されている。
【００８０】
特に本実施例１の規制壁部４７は、カバー体４０をスライダー胴体２０に固定したときに、カバー体４０の前側寄りの位置に設けられる第１規制壁部４７ａと、カバー体４０の後側寄りの位置に設けられる第２規制壁部４７ｂとを有する。第１規制壁部４７ａは、前側側壁部２４ｂに隣接して配され、第２規制壁部４７ｂは、第１規制壁部４７ａと後側側壁部２５ｂとの間に配され、第１規制壁部４７ａよりも下方まで長く垂設される。この場合、第２規制壁部４７ｂは、後側側壁部２５ｂに隣接し、また、第２規制壁部４７ｂの下端縁は、上翼板２１の上面に対し、後方に向けて第２規制壁部４７ｂと上翼板２１との間隔を漸減させるように下り傾斜して形成される。
【００８１】
このような第１及び第２規制壁部４７ａ，４７ｂを有する規制壁部４７がカバー体４０の左右両側に設けられることにより、上述の開口窓部１１には、第２規制壁部４７ｂの下側と斜め前方に配され、引手５０の取付軸部５１を保持するとともに取付軸部５１の前後方向及び回動方向の移動を許容する移動空間部と、第１規制壁部４７ａの下側に前側側壁部２４ｂと第２規制壁部４７ｂとに挟まれて形成され、取付軸部５１の進入を規制すると同時に引手５０の後述する解除突部５２の進入を許容する解除空間部１１ａとが形成される。この場合、解除空間部１１ａは、前後方向に関して、第２規制壁部４７ｂよりも前側に配されている。
【００８２】
更に、この解除空間部１１ａには、スライダー１０の側面視において、スライダー胴体２０とカバー体４０との間に装着された停止爪体３０の爪本体部３１が露呈して配される。このようなカバー体４０によれば、第２規制壁部４７ｂによって引手５０の取付軸部５１の上方への移動が規制される。また、取付軸部５１は、移動空間部及び解除空間部１１ａにおいて停止爪体３０に接触することができず、取付軸部５１によっては停止爪体３０を持ち上げてロック解除状態にすることができない。
【００８３】
本実施例１の引手５０は、角丸長方形又は長円形状のリングからなる取付軸部５１と、取付軸部５１に突設される一対の解除突部５２とを有する。本実施例１の取付軸部５１は、一対の直線軸部５１ａと、一対の直線軸部５１ａの両端部間を連結する一対の円弧軸部５１ｂとを有する。また、取付軸部５１は、円形の断面を有する。
【００８４】
この場合、スライダー胴体２０に対する引手５０の向きとして、スライダー胴体２０の前後方向（長さ方向）に対し、取付軸部５１の直線軸部５１ａが略平行になる引手５０の向きを縦方向とし、取付軸部５１の直線軸部５１ａが略直交する引手５０の向きを横方向とする。
【００８５】
本実施例１の一対の解除突部５２は、取付軸部５１の直線部３１ａに対称的に設けられている。各解除突部５２は、スライダー１０の開口窓部１１における上述の解除空間部１１ａに進入可能で、且つ、解除空間部１１ａに進入したときに解除突部５２の突出方向の先端が停止爪体３０の爪本体部３１に接触して爪本体部３１を上方に持ち上げることが可能なカム状の異形断面形状及び大きさを有する。
【００８６】
また、このような一対の解除突部５２は、スライダー胴体２０に対して引手５０を後口側に傾倒させたときに、取付軸部５１に対して上方に向く方向に突出している。なおこの場合、取付軸部５１における解除突部５２が設けられていない円弧軸部５１ｂの部分が、後述するように、引手５０の停止爪体３０に接触することができない非解除部となる。
【００８７】
次に、本実施例１のスライダー１０の組み立て方法について簡単に説明する。
上述のようなスライダー胴体２０、停止爪体３０、カバー体４０、及び引手５０を用いて、本実施例１のスライダー１０を組み立てる場合、先ず、スライダー胴体２０の上翼板２１の上に、引手５０を取付軸部５１の円弧軸部５１ｂが前側取付柱２４と後側取付柱２５との間に配されるように載置する。
【００８８】
次に、引手５０がセットされたスライダー胴体２０に、停止爪体３０を載置する。このとき、停止爪体３０の爪本体部３１が、セットされた引手５０の取付軸部５１を跨ぐとともに、同爪本体部３１の第２開口部３５に、前側取付柱２４の突起部２４ｃが挿入され、更に、停止爪体３０の停止爪部３２が、スライダー胴体２０の爪孔部２９に挿入されるようにして、停止爪体３０を所定の位置に載置する。
【００８９】
その後、引手５０と停止爪体３０とがセットされたスライダー胴体２０に対して、カバー体４０を取り付ける。このとき、カバー体４０をスライダー胴体２０の上方側から、カバー体４０をスライダー胴体２０の前側取付柱２４及び後側取付柱２５に対して位置合せながら下降させ、カバー体４０の前爪部４３及び後爪部４５を、前側取付柱２４及び後側取付柱２５の各案内傾斜面２４ｆ，２５ｆに当接させる。
【００９０】
続いて、カバー体４０を上側から押圧してスライダー胴体２０に向けて押し込むことにより、カバー体４０の前爪部４３及び後爪部４５が、前側取付柱２４及び後側取付柱２５の各案内傾斜面２４ｆ，２５ｆに摺接して案内されながら、カバー本体部４１が反り返るように弾性変形する。
【００９１】
その後、カバー体４０の前爪部４３及び後爪部４５が、前側取付柱２４の前側被嵌着部２４ｅ及び後側取付柱２５の後側被嵌着部２５ｅの位置に達することにより、カバー本体部４１が弾性復帰すると同時に、前爪部４３及び後爪部４５が前側被嵌着部２４ｅ及び後側被嵌着部２５ｅにそれぞれ嵌まり込む。これにより、カバー体４０が前側取付柱２４及び後側取付柱２５にスナップ係合する。
【００９２】
以上により、カバー体４０がスライダー胴体２０に取り付けられて、図２及び図３に示したような本実施例１のスライダー１０が、接着や溶着等を行うことなく組み立てられる。
更に、得られた本実施例１のスライダー１０を、左右一対のファスナーストリンガー２のエレメント列４に摺動可能に取り付けることによって、図１に示したスライドファスナー１が製造される。
【００９３】
上述した構造を有する本実施例１のスライダー１０では、停止爪体３０の停止爪部３２が弾性付勢部３３の付勢力によりスライダー胴体２０のエレメント案内路２８に突出し（挿入され）、スライダー１０をエレメント列４に係合するため、スライダー１０の停止状態を維持する（言い換えると、スライダー１０をロックする）停止機構を自動的に働かせることができる。
【００９４】
また、スライダー１０の開口窓部１１から外部に露呈する停止爪体３０の爪本体部３１が、引手５０によって弾性付勢部３３の付勢力に抗して持ち上げられることにより、停止爪体３０の停止爪部３２がスライダー胴体２０のエレメント案内路２８から抜出するように持ち上げられ、それによって、スライダー１０の停止機構を解除することができる。
特に本実施例１のスライダー１０では、引手５０に解除突部５２と非解除部（取付軸部５１の円弧軸部５１ｂ）とが設けられており、且つ、スライダー胴体２０の上翼板２１とカバー体４０との間には、カバー体４０の規制壁部４７によって、引手５０の取付軸部５１が移動可能な移動空間部と、取付軸部５１の進入を規制すると同時に引手５０の解除突部５２のみの進入を許容する解除空間部１１ａとが形成されている。
【００９５】
従って、本実施例１のスライダー１０では、引手５０を、例えば図３及び図６に示したようにスライダー胴体２０及びカバー体４０に対して縦方向となるように回動させて引手の向きを変ることにより、スライダー１０の開口窓部１１内に、引手５０の取付軸部５１の円弧軸部５１ｂ（非解除部）を配置した場合、引手５０の取付軸部５１は、開口窓部１１の移動空間部内では自由に移動することが可能であるものの、開口窓部１１の解除空間部１１ａ内に進入することができない。
【００９６】
それにより、引手５０は停止爪体３０に接触できない接触不能状態となるため、スライダー１０の停止機構は解除されず、スライダー１０のロック状態を維持して、スライドファスナー１を開く方向（後方）へ向けてのスライダー１０の摺動操作を制限することができる。なお、本実施例１のスライダー１０では、停止爪体３０の停止爪部３２の先端部が上述のように肩口側に傾斜していることにより、スライダー１０がロック維持状態にあっても、スライドファスナー１を閉じる方向（前方）へ向けてスライダー１０を摺動させることが可能である。
【００９７】
一方、引手５０を、例えば図７に示したようにスライダー胴体２０及びカバー体４０に対して横方向となるように回動させて引手の向きを変えることによって、スライダー１０の開口窓部１１内に、引手５０の取付軸部５１と解除突部５２の両方が配置され、それによって、引手５０の解除突部５２を解除空間部１１ａ内に進入させて、解除突部５２を停止爪体３０に接触させることが可能となる。
【００９８】
このように解除突部５２を停止爪体３０に接触させることにより、停止爪体３０が弾性付勢部３３の付勢力に抗して持ち上げられて、同停止爪体３０の停止爪部３２が上昇するため、スライダー１０の停止機構が解除されて、スライドファスナー１を開く方向（後方）にスライダー１０を円滑に摺動操作することができる。
【００９９】
以上のように、本実施例１のスライダー１０によれば、引手５０を回動させて引手５０の向きを変えるという簡単な作業によって、片歯鍵などの専用の特殊な道具を用いなくても、スライダー１０の停止機構が働くロック状態（ロック維持状態）と、停止機構を解除した摺動可能状態とを任意に選択して容易に切り換えることができる。また、引手５０が角丸長方形又は長円形状のリングである場合、通常状態において引手５０はスライダー胴体２０及びカバー体４０に対して縦方向になり易い。このとき、上翼板２１とカバー体４０との間には引手５０の非解除部（円弧軸部５１ｂ）が位置するため、通常状態ではロック状態が保たれる。
【０１００】
このため、本実施例１のスライダー１０を有するスライドファスナー１は、例えば要介護者が着衣する衣服等に好適に使用される。それにより、例えばスライダー１０の引手５０の向きを縦方向（ロック維持状態）にしてスライダー１０をロック状態に保持した場合、その衣服を着衣した要介護者は、引手５０の向きを、引手５０の解除突部５２をスライダー１０の開口窓部１１に挿入しながら横方向に変えるという要介護者にとっては少し難しい作業を行わなければ、スライダー１０を摺動させることができなくなる。このため、要介護者が自分で勝手に衣服を脱ぐこと等を効果的に防止できる。
【０１０１】
一方、介助者等が要介護者の衣服を着替えさせるときは、スライダー１０の引手５０の向きを横方向（ロック解除状態）に回動させることによって、スライダー１０をロック維持状態からロックが解除された摺動可能状態に、容易に且つ迅速に切り換えることができる。従って、介助者等は、煩わしさや使い辛さを感じることなくスライダー１０を摺動させて、要介護者の衣服を着替えさせることができる。
【０１０２】
その上、本実施例１のスライダー１０は、引手５０を回動させることによってロック維持状態とロック解除状態が切り換えられるため、要介護者にロックの解除方法が気付かれ難い。また、片歯鍵などの専用の道具を用いないため、要介護者の不安を少しでも取り除くことができること、また、専用の道具を管理する必要がなくなること等の利点も得られる。
【０１０３】
なお、上述した実施例１の引手５０では、角丸長方形状のリングからなる取付軸部５１に、２つの解除突部５２が対称的に設けられているが、本考案の引手はこれに限定されるものではない。引手の取付軸部が、自由に回動可能なような端部（末端）のない閉じた形状に形成され、且つ、その取付軸部に、少なくとも１つの解除突部が停止爪体に接触可能に設けられていれば、例えば図８や図９に示したようなその他の形態を有する引手を、実施例１の引手５０の代わりに用いることも可能である。
【０１０４】
図８に示した変形例に係る引手５０ａは、円形状（又は環状）のリングからなる取付軸部５３と、その取付軸部５３に突設される４つの解除突部５４とを有する。また、取付軸部５３は、円形の断面を有する。なおこの場合、取付軸部５３に設ける解除突部５４の個数は任意に変更することができる。
【０１０５】
この変形例において、４つの解除突部５４は、互いに等間隔で離間して設けられている。各解除突部５４は、引手５０ａを上述の実施例１におけるスライダー１０の後口側に傾倒させたときに上方に向いて、同スライダー１０の解除空間部１１ａに進入可能で、且つ解除空間部１１ａに進入したときに停止爪体３０の爪本体部３１を上方に持ち上げることが可能なカム状の異形断面形状及び大きさを有する。
【０１０６】
この場合、変形例に係る引手５０ａは、取付軸部５３の解除突部５４間に配される４つの円弧軸部５３ｂの部分が、引手５０ａの停止爪体３０に接触することができない非解除部となる。従って、円形状の取付軸部５３には、解除突部５４と、非解除部となる円弧軸部５３ｂとが、取付軸部５３の周方向において交互に形成されている。
【０１０７】
このような変形例に係る引手５０ａでは、上述した実施例１に係る引手５０に比べて、解除突部５４の配設個数が多く、且つ、１つの非解除部５３ｂの領域が小さい。このため、この変形例の引手５０ａは、上述した実施例１の引手５０よりも小さい回動角度で引手５０ａのロック維持状態とロック解除状態とを切り換えられるため、スライダー１０の使い易さを向上させることができる。
【０１０８】
一方、図９に示した別の変形例に係る引手５０ｂは、摘まみ部となる引手本体部５５と、引手本体部５５の一端部（基端部）から円弧状に延出する取付軸部５６と、引手本体部５５の端縁及び取付軸部５６に跨るように引手本体部５５の上面側から突設される解除突部５７とを有する。
【０１０９】
引手本体部５５は、一定の厚さを有する平板部と、平板部の外周に沿って配される円みを帯びた面取り部とを有する。また、引手本体部５５の取付軸部５６が連結する連結側の基端部は、半円形状の切り込みが形成されている。この場合、引手本体部５５の平板部の上面（正面）には文字や模様等を付けることが可能である。
【０１１０】
また、引手５０ｂの取付軸部５６は、円形の断面を有するとともに、半円のリング状に形成されている。従って、この引手５０ｂの一端部には、引手本体部５５における半円形状の切り込みが形成された基端部と、半円のリング状の取付軸部５６とによって囲まれた円形状の引手開口５８が形成されている。この引手５０ｂの引手開口５８には、スライダー１０が組み立てられたときに、同スライダー１０の停止爪体３０及びカバー体４０が挿通される。
【０１１１】
この引手５０ｂには、１つの解除突部５７が、取付軸部５６における引手本体部５５とは反対側の円弧部分を除くように、取付軸部５６と引手本体部５５の基端部とに連続して円弧状に設けられている。この解除突部５７は、引手５０ｂを引手本体部５５の上面（正面）が上を向くようにしてスライダー胴体２０の幅方向（左右方向）に傾倒させたときに、取付軸部５６に対して上方に向いて同スライダー１０の解除空間部１１ａに進入可能で、且つ、解除空間部１１ａに進入したときに停止爪体３０の爪本体部３１を上方に持ち上げることが可能なカム状の異形断面形状及び大きさを有する。またこの場合、取付軸部５６における解除突部５７が設けられていない円弧部分（取付軸部５６における引手本体部５５とは反対側の円弧部分）が、停止爪体３０に接触できない非解除部５６ｂとなる。
【０１１２】
このような別の変形例に係る引手５０ｂでは、引手５０を回動させてスライダー胴体２０に対して横方向（スライダー幅方向）に向けて傾倒させることにより、スライダーの停止機構を解除したロック解除状態にすることができる。一方、引手５０ｂをスライダー胴体２０に対して縦方向（スライダー摺動方向）に向けて傾倒させた場合、引手５０ｂが停止爪体３０に接触できずにスライダーの停止機構が働くロック状態（ロック維持状態）にすることができる。このため、上述のような引手５０ｂを用いて形成されるスライダーにおいても、引手５０の向きを変えることによって、ロック維持状態とロック解除状態とを容易に切り換えることができる。
【０１１３】
特に、この引手５０ｂの場合、摘まみ部となる引手本体部５５を備えることにより、スライダーの摺動操作を行うときに、引手５０をスライダー胴体２０及びカバー体４０に対して自然と縦方向に向け易くなる。このように引手５０が縦方向に向くと、上述のように上翼板２１とカバー体４０との間には引手５０ｂの非解除部５６ｂが位置するため、スライダー１０の停止機構が解除されず、ロック状態を保持することができる。これにより、要介護者等によるスライダーの自由な摺動操作をより効果的に防止できる。
【実施例２】
【０１１４】
図１０は、本実施例２に係るスライダーの側面図である。図１１は、スライダーの引手の斜視図であり、図１２は、スライダーの断面図である。
本実施例２のスライダー１０ａは、スライダー胴体２０、停止爪体３０、カバー体６０、及び引手７０の４つの部品から形成されている。なお、本実施例２のスライダー１０ａと、後述する実施例３のスライダー１０ｂとにおいて、スライダー胴体２０及び停止爪体３０は、前述の実施例１で説明したスライダー胴体２０及び停止爪体３０と実質的に同様に形成されている。
【０１１５】
従って、本実施例２及び後述する実施例３において、スライダー胴体２０及び停止爪体３０等のように前述の実施例１と実質的に同様に形成されている部材や部位については、実施例１と同じ符号を用いて表すことによってその詳しい説明を省略し、前述の実施例１と形態が異なるカバー体６０，８０及び引手７０，９０について主に説明する。
【０１１６】
本実施例２のカバー体６０は、前側取付柱２４及び後側取付柱２５に覆い被さる略Ｃ字状のカバー本体部６１と、カバー本体部６１の前端縁及び前端部裏面に配される前膨出部６２と、前膨出部６２の先端部から後方に向けて突出する前爪部６３と、カバー本体部６１の後端縁及び後端部裏面に配される後膨出部６４と、後膨出部６４の先端部から前方に向けて突出する後爪部６５と、カバー本体部６１のカバー上壁部から垂設される左右の側片部６６とを有する。この場合、カバー体６０における左右の側片部６６以外の構成については、前述の実施例１のカバー体４０と実質的に同様に形成されている。
【０１１７】
本実施例２における左右の側片部６６は、停止爪体３０の左右側方を覆い隠すとともに引手７０の取付軸部７１の移動範囲を規制する規制壁部６７と、規制壁部６７よりも薄い厚さで前後方向に突出し、前側側壁部２４ｂ及び後側側壁部２５ｂの各切欠き部２４ｇに挿入される図示しない挿入壁部とを有する。
【０１１８】
本実施例２における左右の規制壁部６７は、スライダー胴体２０における前側取付柱２４の左右前側側壁部２４ｂに隣接するとともに、後側取付柱２５の左右後側側壁部２５ｂにも隣接するように、前側取付柱２４と後側取付柱２５との間に前後方向に沿って配されている。また、この規制壁部６７は、カバー本体部６１のカバー上壁部から停止爪体３０における爪体本体部の直線部３１ａよりも下方の位置まで垂設されており、左右の規制壁部６７の下端縁は、上翼板２１の上面と略平行に配される。
【０１１９】
このような本実施例２のカバー体６０が、スライダー胴体２０の前側取付柱２４及び後側取付柱２５に取り付け固定されることにより、停止爪体３０がスライダー１０ａの側面視において隠れて見えなくなるように停止爪体３０の左右側方がカバー体６０で覆われる。また、上翼板２１の上面とカバー体６０との間には、引手７０の取付軸部７１を保持するとともに取付軸部７１が自由に移動可能な開口窓部１１が形成される。更に、このカバー体６０の左右の側片部６６によって、開口窓部１１内に保持される引手７０の取付軸部７１が、停止爪体３０に接触することを阻止している。
【０１２０】
本実施例２の引手７０は、円形状のリングからなる取付軸部７１と、取付軸部７１の一部に突設される１つの解除突部７２とを有する。この場合、取付軸部７１は、周方向に直交する断面が円形を呈するように形成されている。なお、本実施例２では、取付軸部７１に複数の解除突部７２を設けることも可能である。
【０１２１】
本実施例２の解除突部７２は、スライダー胴体２０に対して引手７０を後口側に傾倒させたときに（例えば図１０及び図１３を参照）、取付軸部７１に対して上方に向く方向に突出して形成されている。また、この解除突部７２は、図１３及び図１４に示したように、カバー体６０の上述した左右の規制壁部６７間に進入可能で、且つ、その進入時に停止爪体３０の爪本体部３１を上方に持ち上げることが可能なカム状の断面形状及び大きさを有する。
【０１２２】
なお本実施例２の引手７０では、取付軸部７１における解除突部７２が設けられていない円弧部分が、引手７０の停止爪体３０に接触することができない非解除部となる。また、本実施例２では、円形状の取付軸部７１に１つの解除突部７２が設けられているが、例えば本考案においては、円形状の取付軸部７１に、複数の解除突部７２を互いに等間隔で離間するように設けても良く、また、取付軸部７１を、角丸長方形又は長円形のリング状に形成しても良い。更に、本実施例２の引手は、例えば図９に示したような摘み部となる引手本端部から円弧状の取付軸部が延出する形態を有していても良い。
【０１２３】
このような本実施例２のスライダー１０ａは、上述したスライダー胴体２０、停止爪体３０、カバー体６０、及び引手７０を用いて、前述の実施例１の場合と同様の組み立て作業を行うことによって、簡単に組み立てられる。
【０１２４】
上述のようなカバー体６０及び引手７０を有する本実施例２のスライダー１０ａでは、前述の実施例１と同様に、停止爪体３０による停止機構を自動的に働かせることができる。また、本実施例２のスライダー１０ａでは、引手７０に解除突部７２と上述した非解除部とが設けられている。更に、カバー体６０における左右の規制壁部６７によって、引手７０の取付軸部７１が停止爪体３０に接触しないように取付軸部７１の移動範囲を規制するとともに、引手７０の解除突部７２が、左右の規制壁部６７間に進入して停止爪体３０の爪本体部３１に接触し、その爪本体部３１を持ち上げることが可能である。
【０１２５】
従って、本実施例２のスライダー１０ａでは、スライダー胴体２０及びカバー体６０に対して引手７０を回動させて、例えば図１２に示したように、スライダー１０ａの開口窓部１１内に、引手７０の取付軸部７１における解除突部７２が形成されている部分以外の円周部分（非解除部）が配置されるように引手７０の向きを変えた場合、引手７０の取付軸部７１は、スライダー１０ａの開口窓部１１内では自由に移動可能であるものの、停止爪体３０に接触することができない。このため、スライダー１０ａの停止機構は解除されず、スライダー１０ａのロック状態を維持して、スライドファスナー１を開く方向（後方）へのスライダー１０ａの摺動操作を制限することができる。
【０１２６】
一方、引手７０を回動させて、例えば図１３及び図１４に示したように、スライダー１０ａの開口窓部１１内に、引手７０の取付軸部７１と解除突部７２の両方が配置されるように引手７０の向きを変え、更に引手７０を後口側に傾倒させて解除突部７２を左右の規制壁部６７間に進入させることにより、引手７０の解除突部７２を左右の規制壁部６７間で停止爪体３０に接触させて停止爪体３０を持ち上げることができる。それにより、停止爪体３０が弾性付勢部３３の付勢力に抗して上昇し、同停止爪体３０の停止爪部３２が持ち上げられるため、スライダー１０ａの停止機構を解除して、スライドファスナー１を開く方向（後方）にスライダー１０ａを円滑に摺動操作することができる。
【０１２７】
このように本実施例２のスライダー１０ａによれば、前述の実施例１の場合と同様に、引手７０を回動させて引手７０の向きを変えるという簡単な作業によって、専用の道具を用いなくても、スライダー１０ａの停止機構が働くロック状態（ロック維持状態）と、停止機構を解除した摺動可能状態（ロック解除状態）とを任意に選択して容易に切り換えることができる。従って、本実施例２のスライダー１０ａも、要介護者が着衣する衣服等に好適に使用される。
【実施例３】
【０１２８】
図１５は、本実施例３に係るスライダーの側面図であり、図１６は、スライダーの断面図である。
本実施例３のスライダー１０ｂは、スライダー胴体２０、停止爪体３０、カバー体８０、及び引手９０の４つの部品から形成されている。本実施例３の引手９０は、円形状のリングからなる取付軸部９１のみにより形成されており、この本実施例３の引手９０には、例えば前述の実施例１や実施例２の引手５０，７０が有するような解除突部５２，７２が設けられていない。なお、本実施例３の引手９０としては、従来から一般的に用いられる引手、すなわち、摘み部（引手本体部）と、摘み部から延出する左右一対の腕部と、腕部の先端部間を連結する取付軸部とを有する引手を用いることも可能である。
【０１２９】
本実施例３のカバー体８０は、前側取付柱２４及び後側取付柱２５に覆い被さる略Ｃ字状のカバー本体部８１と、カバー本体部８１の前端縁及び前端部裏面に配される前膨出部８２と、前膨出部８２の先端部から後方に向けて突出する前爪部８３と、カバー本体部８１の後端縁及び後端部裏面に配される後膨出部８４と、後膨出部８４の先端部から前方に向けて突出する後爪部８５と、カバー本体部８１のカバー上壁部４１ａから垂設される左右の側片部８６とを有する。この場合、カバー体８０における左右の側片部８６以外の構成については、前述の実施例１のカバー体４０と実質的に同様に形成されている。
【０１３０】
本実施例３における左右の側片部８６は、カバー上壁部から下方に垂設され、前側取付柱２４及び後側取付柱２５間に入り込んで引手９０の取付軸部９１の移動範囲を規制する規制壁部８７と、規制壁部８７よりも薄い厚さで前後方向に突出し、前側側壁部２４ｂ及び後側側壁部２５ｂの各切欠き部２４ｇに挿入される図示しない挿入壁部とを有する。
【０１３１】
また、本実施例３の規制壁部８７は、カバー体８０をスライダー胴体２０に固定したときに、カバー体８０の前側寄りの位置に設けられる第１規制壁部８７ａと、カバー体４０の後側寄りの位置に設けられる第２規制壁部８７ｂとを有する。第１規制壁部８７ａは、前側側壁部２４ｂに隣接して配される。また、この第１規制壁部８７ａは、前述の実施例１における第１規制壁部４７ａに比べて、前後方向における長さを長くして形成されている。
【０１３２】
本実施例３の第２規制壁部８７ｂは、第１規制壁部８７ａよりも下方まで長く垂設され、停止爪体３０の左右側方を覆って配されている。第２規制壁部８７ｂの下端部は、後述する解除空間部１１ｂと非解除空間部１１ｃとを区画するとともに、解除空間部１１ｂに引手９０の取付軸部９１を保持し易くするような形状を有する。具体的には、第２規制壁部８７ｂの下端部は、前方斜め下側に突出するような形状を有し、且つ、第２規制壁部８７ｂの下端縁は、第２規制壁部８７ｂと上翼板２１との上下方向の間隔を後方へ向けて漸増させるように上り傾斜している。
【０１３３】
なお、本実施例３において、第２規制壁部８７ｂの形状は、解除空間部１１ｂと非解除空間部１１ｃとを区画することができれば特に限定されるものではなく、例えば第２規制壁部８７ｂの下端縁が、第２規制壁部８７ｂと上翼板２１との上下方向の間隔を後方へ向けて漸減させるように下り傾斜して形成されていても良い。
【０１３４】
このような第１及び第２規制壁部８７ａ，８７ｂが設けられることにより、上翼板２１とカバー体８０との間に設けられる開口窓部１１には、引手９０の取付軸部９１が進入可能で、引手９０でスライダー胴体２０を後方へ摺動させるときにロック解除状態にする解除空間部１１ｂと、取付軸部９１が進入可能で、引手９０でスライダー胴体２０を後方へ摺動させるときにロック維持状態にする非解除空間部１１ｃと、解除空間部１１ｂと非解除空間部１１ｃの間を取付軸部９１が移動可能に連通する連通空間部１１ｄとが形成されている。
【０１３５】
この場合、解除空間部１１ｂは、前側取付柱２４の前側側壁部２４ｂと第２規制壁部８７ｂとの間に挟まれるように、第１規制壁部８７ａの下側に形成されている。また、この解除空間部１１ｂには、スライダー１０ｂの側面視で、スライダー胴体２０とカバー体８０との間に装着された停止爪体３０の爪本体部３１が露呈している。
【０１３６】
非解除空間部１１ｃは、第２規制壁部８７ｂの下側で、且つ、後側取付柱２５の後側側壁部２５ｂの前方に形成されている。この非解除空間部１１ｃは、引手９０でスライダー胴体２０を後方へ摺動させるときに、引手９０の取付軸部９１を後側側壁部２５ｂに接触するように進入させることができる。連通空間部１１ｄは、引手９０の取付軸部９１を解除空間部１１ｂと非解除空間部１１ｃとに案内することができる。
【０１３７】
このような本実施例３のスライダー１０ｂは、上述したスライダー胴体２０、停止爪体３０、カバー体８０、及び引手９０を用いて、前述の実施例１の場合と同様の組み立て作業を行うことによって、簡単に組み立てられる。
【０１３８】
上述のようなカバー体８０及び引手９０を有する本実施例３のスライダー１０ｂでは、停止爪体３０による停止機構を自動的に働かせることができる。また、本実施例３のスライダー１０ｂでは、カバー体８０における左右の規制壁部８７によって、引手９０の取付軸部９１が挿通される開口窓部１１には、上述のような解除空間部１１ｂと非解除空間部１１ｃとが形成されている。
【０１３９】
従って、本実施例３のスライダー１０ｂでは、引手９０を後方に引っ張ることによって引手９０を後口側に傾倒させながらスライダー胴体２０を後方へ摺動させる際に、引手９０の取付軸部９１が、上翼板２１とカバー体８０の第２規制壁部８７ｂとの間に形成される非解除空間部１１ｃに入って保持されることにより、引手９０の取付軸部９１が停止爪体３０に接触することはない。このため、スライダー１０ｂの停止機構は解除されず、スライダー１０ｂのロック状態を維持して、スライドファスナー１を開く方向（後方）へのスライダー１０ｂの摺動操作を制限することができる。
【０１４０】
一方、引手９０を後方に引っ張ってスライダー胴体２０を後方へ摺動させる際に、引手９０をスライダー胴体２０に対して少し持ち上げて、引手９０の取付軸部９１をカバー体８０の第２規制壁部８７ｂに前方側から引っ掛けるようにして後方に引くことにより、引手９０の取付軸部９１を、前側側壁部２４ｂと第２規制壁部８７ｂとの間に形成される解除空間部１１ｂに進入させて、同解除空間部１１ｂ内に露呈する停止爪体３０の爪本体部３１に接触させることができる。それにより、停止爪体３０が弾性付勢部３３の付勢力に抗して持ち上げられ、同停止爪体３０の停止爪部３２が上昇するため、スライダー１０ｂの停止機構を解除して、スライドファスナー１を開く方向（後方）にスライダー１０ｂを円滑に摺動操作することができる。
【０１４１】
このように本実施例３のスライダー１０ｂによれば、引手９０を後方に引っ張ってスライダー胴体２０を後方へ摺動させる際に、引手９０を普通に引っ張ることにより引手９０の取付軸部９１を非解除空間部１１ｃ（ロック維持状態）に進入させるか、又は、引手９０を少し持ち上げながら引っ張ることにより引手９０の取付軸部９１を解除空間部１１ｂ（ロック解除状態）に意図的に又は意識して進入させるように、引手９０の取付軸部９１の位置を変えることによって、例えば前述の実施例１や実施例２のように引手９０を回動させることではなく、スライダー１０ｂの停止機構が働くロック状態（ロック維持状態）と、停止機構を解除した摺動可能状態（ロック解除状態）とを任意に選択して容易に切り換えることができる。
【０１４２】
従って、本実施例３のスライダー１０ｂも、要介護者が着衣する衣服等に好適に使用される。特に本実施例３のスライダー１０ｂは、前述した実施例１及び実施例２のスライダー１０，１０ａに比べて、操作性が良く、介助者等の使い易さが改善されたものとなる。
【０１４３】
なお、前述した実施例１〜実施例３のカバー体４０，６０，８０は、スライダー１０，１０ａ，１０ｂが組み立てられたときにスライダー胴体２０の前側取付柱２４及び後側取付柱２５がスライダー１０ｂの側面側から見えるような形態を有する（すなわち、カバー本体部４１，６１，８１が略Ｃ字状に形成されている）。しかし、本実施例１では、カバー体（特に、カバー本体部）を、スライダー胴体２０の前側取付柱２４及び後側取付柱２５がすっぽりと覆い隠されるような形態に形成することも可能である。
【符号の説明】
【０１４４】
１                スライドファスナー
２                ファスナーストリンガー
３                ファスナーテープ
４                エレメント列
５                ファスナーエレメント
１０                スライダー
１０ａ，１０ｂ      スライダー
１１                開口窓部
１１ａ              解除空間部
１１ｂ              解除空間部
１１ｃ              非解除空間部
１１ｄ              連通空間部
２０                スライダー胴体
２１                上翼板
２１ａ              嵌入凹部
２２                下翼板
２３                案内柱
２４                前側取付柱
２４ａ              柱本体部
２４ｂ              前側側壁部
２４ｃ              突起部
２４ｄ              挿入孔部
２４ｅ              前側被嵌着部（前側嵌着凹部）
２４ｆ              案内傾斜面
２４ｇ              切欠き部
２５                後側取付柱
２５ａ              嵌着柱部
２５ｂ              後側側壁部
２５ｃ              引手案内隆起部
２５ｅ              後側被嵌着部（後側嵌着凹部）
２５ｆ              案内傾斜面
２５ｇ              切欠き部
２６                フランジ部
２７                突条部
２８                エレメント案内路
２９                爪孔部
３０                停止爪体
３１                爪本体部
３１ａ              直線部
３１ｂ              前端屈曲部
３１ｃ              後端屈曲部
３２                停止爪部
３３                弾性付勢部
３４                第１開口部
３５                第２開口部
４０                カバー体
４１                カバー本体部
４１ａ              カバー上壁部
４１ｂ              カバー前壁部
４１ｃ              カバー後壁部
４１ｄ              凹溝部
４２                前膨出部
４３                前爪部
４４                後膨出部
４５                後爪部
４６                側片部（側壁部）
４７                規制壁部
４７ａ              第１規制壁部
４７ｂ              第２規制壁部
４８                挿入壁部
５０                引手
５０ａ，５０ｂ      引手
５１                取付軸部
５１ａ              直線軸部
５１ｂ              円弧軸部（非解除部）
５２                解除突部
５３                取付軸部
５３ｂ              円弧軸部（非解除部）
５４                解除突部
５５                引手本体部
５６                取付軸部
５６ｂ              非解除部
５７                解除突部
５８                引手開口
６０                カバー体
６１                カバー本体部
６２                前膨出部
６３                前爪部
６４                後膨出部
６５                後爪部
６６                側片部
６７                規制壁部
７０                引手
７１                取付軸部
７２                解除突部
８０                カバー体
８１                カバー本体部
８２                前膨出部
８３                前爪部
８４                後膨出部
８５                後爪部
８６                側片部
８７                規制壁部
８７ａ              第１規制壁部
８７ｂ              第２規制壁部
９０                引手
９１                取付軸部
【図１】
0003206923.tif 000003
【図２】
0003206923.tif 000004
【図３】
0003206923.tif 000005
【図４】
0003206923.tif 000006
【図５】
0003206923.tif 000007
【図６】
0003206923.tif 000008
【図７】
0003206923.tif 000009
【図８】
0003206923.tif 000010
【図９】
0003206923.tif 000011
【図１０】
0003206923.tif 000012
【図１１】
0003206923.tif 000013
【図１２】
0003206923.tif 000014
【図１３】
0003206923.tif 000015
【図１４】
0003206923.tif 000016
【図１５】
0003206923.tif 000017
【図１６】
0003206923.tif 000018